(57)【要約】【課題】本発明は、機能性並びに操作性に優れた情報処理装置および操作ウィンドウ表示方法を提供することを課題とする。【解決手段】副表示装置１１２に設けられたミドルボタン１１３ｃを操作することで、主表示装置１２１に表示された情報に関係する操作ウィンドウを表示して当該操作ウィンドウのタッチ操作を可能にする操作ウィンドウ機能の操作入力モードと、通常のポインティング操作入力モードとを簡単に切り替えることができ、上記操作ウィンドウ機能の操作入力モード下に於いて、主表示装置１２１に表示された情報に関係する操作ウィンドウを指タッチ操作で直接操作できる。【選択図】    図１
2004234544.tif 000002
【特許請求の範囲】
【請求項１】
第１の表示装置と、
第２の表示装置と、
前記第１の表示装置に表示された情報に、当該情報に関係する操作ウィンドウが存在するとき、当該操作ウィンドウを前記第２の表示装置に表示する制御手段と
を具備したことを特徴とする情報処理装置。
【請求項２】
前記第２の表示装置は、タブレットを一体に設けたタッチスクリーン機能を有し、前記制御手段は、前記第１の表示装置に表示された情報に、当該情報に関係する操作ウィンドウが存在するとき、当該操作ウィンドウのすべての操作機能若しくは一部の操作機能をもつ操作ウィンドウを前記第２の表示装置にタッチ操作により操作可能に表示することを特徴とする請求項１記載の情報処理装置。
【請求項３】
前記制御手段は、前記第１の表示装置に表示されている操作ウィンドウのすべての操作機能若しくは一部の操作機能をもつ操作ウィンドウを前記第２の表示装置に操作可能に表示する請求項２記載の情報処理装置。
【請求項４】
前記制御手段は、前記操作ウィンドウを前記第１の表示装置に代わり前記第２の表示装置に操作可能に表示する請求項２記載の情報処理装置。
【請求項５】
前記制御手段は、前記操作ウィンドウを所定の条件に従い前記第２の表示装置に表示する請求項２記載の情報処理装置。
【請求項６】
前記制御手段は、前記第２の表示装置に表示された操作ウィンドウと前記第１の表示装置に表示された操作ウィンドウとを入れ替える手段を具備する請求項３記載の情報処理装置。
【請求項７】
前記制御手段は、前記第１の表示装置が全画面表示状態にあるとき、前記操作ウィンドウを前記第１の表示装置に代わり前記第２の表示装置に操作可能に表示する請求項４記載の情報処理装置。
【請求項８】
前記制御手段は、前記第１の表示装置に表示された情報に関係する操作ウィンドウが複数存在するとき、その複数の操作ウィンドウのうち少なくとも一つの操作ウィンドウのすべての操作機能若しくは一部の操作機能をもつ操作ウィンドウを前記第２の表示装置に操作可能に表示する請求項２記載の情報処理装置。
【請求項９】
前記制御手段は、前記第１の表示装置に表示された情報に関係する操作ウィンドウがもつすべての操作機能若しくは一部の操作機能を階層化した操作ウィンドウを前記第２の表示装置に操作可能に表示する請求項２記載の情報処理装置。
【請求項１０】
前記第２の表示装置は、前記操作ウィンドウの表示を解除するための操作手段を具備し、前記制御手段は、前記操作手段の操作に従い前記第２の表示装置を前記操作ウィンドウ表示を表示する以前の状態に復帰させる手段を具備する請求項１記載の情報処理装置。
【請求項１１】
前記制御手段は、前記第１の表示装置に表示されたアプリケーションプログラムに従う情報に関係する操作ウィンドウが前記第２の表示装置に表示されているとき、前記アプリケーションプログラムの終了に伴って、前記第２の表示装置を前記操作ウィンドウを表示する以前の状態に復帰させる手段を具備する請求項１記載の情報処理装置。
【請求項１２】
表示装置に表示された情報に、当該情報に関係する操作ウィンドウが存在するとき、当該操作ウィンドウを他の表示装置に表示することを特徴とする操作ウィンドウ表示方法。
【請求項１３】
前記他の表示装置は、前記表示装置に表示されるマウスポインタを操作可能なタブレットを一体に設けたタッチスクリーン機能を有し、前記他の表示装置に前記操作ウィンドウが表示された際に、当該操作ウィンドウを前記他の表示装置上で操作可能にしたことを特徴とする請求項１２記載の操作ウィンドウ表示方法。
【請求項１４】
前記表示装置に表示されている操作ウィンドウのすべての操作機能若しくは一部の操作機能をもつ操作ウィンドウを前記他の表示装置に操作可能に表示する請求項１２記載の操作ウィンドウ表示方法。
【請求項１５】
前記操作ウィンドウを所定の条件に従い前記他の表示装置に表示する請求項１２記載の操作ウィンドウ表示方法。
【請求項１６】
前記表示装置が全画面表示状態にあるとき、前記操作ウィンドウを前記表示装置に代わり前記他の表示装置に操作可能に表示する請求項１３記載の操作ウィンドウ表示方法。
【請求項１７】
前記表示装置に表示された情報に関係する操作ウィンドウが複数存在するとき、その複数の操作ウィンドウのうち少なくとも一つの操作ウィンドウのすべての操作機能若しくは一部の操作機能をもつ操作ウィンドウを前記他の表示装置に操作可能に表示する請求項１３記載の操作ウィンドウ表示方法。
【請求項１８】
前記表示装置に表示された情報に関係する操作ウィンドウがもつすべての操作機能若しくは一部の操作機能を階層化した操作ウィンドウを前記他の表示装置に操作可能に表示する請求項１３記載の操作ウィンドウ表示方法。
【請求項１９】
前記他の表示装置は前記操作ウィンドウの表示を解除するための操作手段を有し、前記操作手段の操作に従い前記他の表示装置を前記操作ウィンドウ表示を表示する以前の状態に復帰させる請求項１３記載の操作ウィンドウ表示方法。
【請求項２０】
前記表示装置に表示されたアプリケーションプログラムに従う情報に関係する操作ウィンドウが前記他の表示装置に表示されているとき、前記アプリケーションプログラムの終了に伴って、前記他の表示装置を前記操作ウィンドウを表示する以前の状態に復帰させる請求項１２記載の操作ウィンドウ表示方法。
【発明の詳細な説明】
【０００１】
【発明の属する技術分野】
本発明は、主操作画面を表示する表示装置と、副操作画面を表示する表示装置とを備えた情報処理装置および操作ウィンドウ表示方法に関する。
【０００２】
【従来の技術】
近年、ノートブックタイプまたはラップトップタイプの携帯型パーソナルコンピュータに於いては、例えばマウスポインティング操作、テンキー入力操作等を可能にしたポインティング装置が設けられている（例えば、特許文献１参照）。
【０００３】
この種、従来のパーソナルコンピュータに於いては、表示装置に例えばＤＶＤの再生画像等を表示した際、表示画面中の操作ウィンドウが煩わしいという問題があった。また、全画面表示を行うと、操作ウィンドウが隠れてしまうという問題があった。
【０００４】
【特許文献１】
特開２０００−３３９０９７
【０００５】
【発明が解決しようとする課題】
上述したように従来では、例えば映画等の動画再生中に於いて操作ウィンドウが煩わしいという機能面での問題があり、また、全画面表示を行うと、操作ウィンドウが隠れてしまうという操作上の問題があった。
【０００６】
本発明は上記実情に鑑みなされたもので、機能性並びに操作性に優れた情報処理装置および操作ウィンドウ表示方法を提供することを目的とする。
【０００７】
【課題を解決するための手段】
本発明は、上述した、ポインティング装置に、表示パネルを一体に組み込んだポインティング装置を用い、このポインティング装置を機器本体、またはキーボード筐体等に設けて、上記ポインティング装置の表示パネル上に、主画面に関係する操作ウィンドウを表示し、上記表示パネル上で操作ウィンドウを直接タッチ操作できるようにしたことを特徴とする。
【０００８】
即ち、本発明は、第１の表示装置と、第２の表示装置と、前記第１の表示装置に表示された情報に、当該情報に関係する操作ウィンドウが存在するとき、当該操作ウィンドウを前記第２の表示装置に表示する制御手段とを具備した情報処理装置を特徴とする。
【０００９】
前記情報処理装置に於いて、前記第２の表示装置に、タブレットを一体に設けたタッチスクリーン機能を備え、前記制御手段に、前記第１の表示装置に表示された情報に、当該情報に関係する操作ウィンドウが存在するとき、当該操作ウィンドウのすべての操作機能若しくは一部の操作機能をもつ操作ウィンドウを前記第２の表示装置にタッチ操作により操作可能に表示する手段を備えることで、表示画面中の操作ウィンドウが煩わしさを排除して機能性を向上できるとともに、操作ウィンドウを直接タッチ操作することで操作性を向上できる。
【００１０】
また、前記情報処理装置に於いて、前記制御手段は、前記第１の表示装置に表示されている操作ウィンドウのすべての操作機能若しくは一部の操作機能をもつ操作ウィンドウを前記第２の表示装置に操作可能に表示することで、第１の表示装置に表示された操作ウィンドウと、第２の表示装置に表示された操作ウィンドウとを任意に用いた使い勝手のよい操作ウィンドウ環境を提供できるとともに、指タッチによる直接操作を可能にして、操作ボタン機能を簡易化でき、操作性をより向上できる。
【００１１】
また、前記情報処理装置に於いて、前記制御手段は、前記第１の表示装置が全画面表示状態にあるとき、前記操作ウィンドウを前記第１の表示装置に代わり前記第２の表示装置に操作可能に表示することで、例えば映画等の映像番組を、操作ウィンドウの煩わしい表示を排除して、最適表示環境下で視聴できるとともに、その視聴番組の各種操作並びに制御を指タッチ操作で容易かつ迅速に行うことができる。
【００１２】
また、前記情報処理装置に於いて、前記制御手段は、前記第１の表示装置に表示された情報に関係する操作ウィンドウが複数存在するとき、その複数の操作ウィンドウのうち少なくとも一つの操作ウィンドウのすべての操作機能若しくは一部の操作機能をもつ操作ウィンドウを前記第２の表示装置に操作可能に表示することで、各種の情報処理操作を効率よく迅速に行うことができる。
【００１３】
また、前記情報処理装置に於いて、前記制御手段は、前記第２の表示装置に表示された操作ウィンドウと前記第１の表示装置に表示された操作ウィンドウとを入れ替える機能をもつことで、各種の情報処理操作を効率よく迅速に行うことができる。
【００１４】
また、前記情報処理装置に於いて、前記制御手段は、前記第１の表示装置に表示されたアプリケーションプログラムに従う情報に関係する操作ウィンドウが前記第２の表示装置に表示されているとき、前記アプリケーションプログラムの終了に伴って、前記第２の表示装置を前記操作ウィンドウを表示する以前の状態に復帰させる機能をもつことで、第２の表示装置を、通常のポインティング機能と、第１の表示装置に代わる操作ウィンドウ機能とで容易に使い分けて使用することができ、第２の表示装置の機能を有効に活用した操作性のよい装置が実現できる。
【００１５】
【発明の実施の形態】
以下、図面を参照して本発明の実施形態を説明する。
【００１６】
図１は本発明の実施形態に於ける情報処理装置の外観構成を示す斜視図であり、ここでは、ノートブック型パーソナルコンピュータを例に示している。
【００１７】
この図１に示す、本発明の実施形態によるコンピュータは、コンピュータ本体１１と、ディスプレイユニット１２とから構成されている。ディスプレイユニット１２には、ＬＣＤからなる主表示装置１２１が組み込まれている。このディスプレイユニット１２は、コンピュータ本体１１に対して解放位置と閉塞位置との間を回動自在に取り付けられている。コンピュータ本体１１は薄い箱形の筐体を有しており、その筐体上面には、コンピュータ本体１１の電源をオン／オフするためのパワーボタン１１４、キーボード１１１等が配置され、キーボード１１１の手前の筐体部分上面にはアームレストが形成されている。このアームレストのほぼ中央部には、タッチスクリーン機能を有する副表示装置（ｃＰａｄデバイス）１１２が設けられる。この副表示装置１１２は、上記主表示装置１２１より表示面が小さいＬＣＤ等の表示パネルとダブレットとを一体に設けた表示一体型のポインティングデバイスを構成するもので、レフト（左）ボタン１１３ａ、ライト（右）ボタン１１３ｂ、およびミドル（中）ボタン１１３ｃとともに上記アームレストを形成する筐体上面に配置されている。
【００１８】
図２は上記図１に示したコンピュータのシステム構成を示すブロック図である。このコンピュータには、図示するように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、および電源コントローラ２１３等が設けられている。
【００１９】
ＵＳＢコントローラ２１０には、上記した副表示装置（サブディスプレイ）１１２が接続されている。この副表示装置１１２は、タッチパッド１１２ａと、表示部１１２ｂと、バックライト１１２ｃとが一体化されてタッチスクリーン機能を実現し、レフト（左）ボタン１１３ａ、ライト（右）ボタン１１３ｂ、およびミドル（中）ボタン１１３ｃを含んで構成される。
【００２０】
ＣＰＵ２０１は、本コンピュータの動作を制御するために設けられたもので、ハードディスクドライブ（ＨＤＤ）２０８から主メモリ２０３にロードされたオペレーティングシステム（ＯＳ）、およびアプリケーションプログラム、ユーティリティプログラム等を実行する。この実施形態では、主メモリ２０３に置かれた、上記副表示装置１１２の制御プログラム（図３参照）およびこの制御プログラムと連携して後述する図４に示すような副表示装置１１２上でのタッチ操作による操作ウィンドウ機能を実現する入出力プログラムの処理を実行する。
【００２１】
ホストブリッジ２０２はＣＰＵ２０１のローカルバスとＰＣＩバス１との間を双方向で接続するブリッジデバイスである。グラフィクスコントローラ２０４はビデオＲＡＭ（ＶＲＡＭ）を備え、専用ディスプレイドライバの制御の下に本コンピュータのディスプレイモニタとして使用される主表示装置１２１を制御する。Ｉ／Ｏコントローラ２０７はハードディスクドライブ（ＨＤＤ）２０８、ＣＤ−ＲＯＭドライブ２０９等を制御する。ＰＣＩ−ＩＳＡブリッジ２０６はＰＣＩバス１とＩＳＡバス２を双方向で接続するブリッジデバイスであり、ここには例えばシステムタイマ、ＤＭＡコントローラ、割り込みコントローラなどの各種システムデバイスも内蔵されている。
【００２２】
エンベデッドコントローラ／キーボードコントローラＩＣ（ＥＣ／ＫＢＣ）２１１は、電力管理のためのエンベデッドコントローラ（ＥＣ）とキーボード１１１を制御するためのキーボードコントローラ（ＫＢＣ）とが集積された１チップマイクロコンピュータである。このエンベデッドコントローラ／キーボードコントローラＩＣ（ＥＣ／ＫＢＣ）２１１は、電源コントローラ２１３と協同して、ユーザによるパワーボタン１１４の操作に応じて本コンピュータをパワーオン／パワーオフする機能を有している。
【００２３】
図３は本発明の実施形態に於ける副表示装置１１２の機能構成要素を示す図であり、ここでは、副表示装置１１２の機能を設定する設定テーブル３０１、設定テーブル３０１の内容に従い副表示装置１１２の機能制御を行う制御プログラム３０２、副表示装置１１２と制御プログラム３０２との間でやり取りされる情報の入出力を制御を行うインターフェース３０３、ＧＵＩにより設定テーブル３０１を作成する設定プログラム３１１、制御プログラム３０２の指示に従い各種の処理を実行する実行手段３１２、および副表示装置１１２を構成要素としている。この実施形態では、上記実行手段３１２が、ミドルボタン１１３ｃの操作に伴い、副表示装置１１２の機能を、マウス設定プログラムの制御に従うポインティング機能と、主表示装置１２１に表示された情報に関係する操作ウィンドウを副表示装置１１２に表示して当該操作ウィンドウのタッチ操作を可能にする操作ウィンドウ機能との設定を切り替える（図４参照）。
【００２４】
図４は本発明の実施形態に於ける操作処理手順を示すフローチャートであり、副表示装置１１２の制御プログラム３０２とマウスドライバと入出力制御プログラムとの連繋処理により実現される。この処理では、副表示装置１１２を用いた操作ウィンドウ上でのタッチ操作による主画面操作機能を実現するもので、ここでは一例として副表示装置１１が通常のポインティング機能の設定状態にあるとき、副表示装置１１２に設けられたミドルボタン１１３ｃを操作することにより、副表示装置１１２を用いた操作ウィンドウ機能の設定に切り替わる。
【００２５】
図５は上記実施形態の動作説明図であり、ここでは、主表示装置１２１に表示された情報が、全画面表示となっている際に、主表示装置１２１に表示されていた上記全画面表示となった情報に関係する操作ウィンドウ５０１が、ミドルボタン１１３ｃの操作に従い、副表示装置１１２に操作ウィンドウ５０２として表示され、この副表示装置１１２に表示された操作ウィンドウ５０２上でタッチ操作により上記主表示装置１２１に全面表示された情報に関係する操作が可能となる例を示している。
【００２６】
この図５に示す処理機能以外に、例えば主表示装置１２１の全画面表示に伴い、操作ウィンドウ５０１のすべての機能をそのまま副表示装置１１２に操作ウィンドウ５０２として移す機能を実現することも可能である。または、もともと主表示装置１２１には操作ウィンドウ５０１を表示せず、主表示装置１２１に表示された情報が操作ウィンドウ５０１をもっているとき、そのウィンドウを副表示装置１１２に操作ウィンドウ５０２として操作可能に表示する機能を実現することも可能である。または、主表示装置１２１に操作ウィンドウ５０１を表示した状態で、所定の事象発生（例えばコマンド発生、操作指示等）に伴い、そのウィンドウを副表示装置１１２に操作ウィンドウ５０２として操作可能に表示する機能を実現することも可能である。または、主表示装置１２１に表示された情報が複数のウィンドウをもつとき、そのうちの所定のウィンドウを副表示装置１１２に操作可能に表示する機能を実現することも可能である。さらに、この際、主表示装置１２１に表示されているウィンドウと、副表示装置１１２に表示されているウィンドウとを入れ替え指示により入れ替えることも可能である。また、上記各処理に於いて、操作ウィンドウ５０１のすべての機能ではなく、その一部の機能をもつ操作ウィンドウを副表示装置１１２に操作ウィンドウ５０２として操作可能に表示することも可能である。これらの各処理機能は副表示装置１１２の制御プログラム３０２とマウスドライバと入出力制御プログラムとの連繋処理により実現される。
【００２７】
ここで、上記各図を参照して本発明の実施形態に於ける動作を説明する。尚、ここでは、主表示装置１２１が全画面表示で、かつその全画面表示された情報に、その情報に関係する操作ウィンドウがあるとき、その操作ウィンドウが副表示装置１１２に操作可能に表示される操作ウィンドウ機能を例に挙げて実施形態の動作を説明する。
【００２８】
システムの起動後に於いては、副表示装置１１２が、マウス設定プログラムの制御に従う通常のポインティング機能、即ち副表示装置１１２上で指を摺動させることで主表示装置１２１上のマウスポインタを移動可能なポインティング操作入力モードとなっている（図４ステップＳ１０１）。
【００２９】
この状態で、副表示装置１１２に設けられたミドルボタン１１３ｃが操作されると（図４ステップＳ１０２  Ｙｅｓ，Ｓ１０３  Ｙｅｓ）、主表示装置１２１が全画面表示で（図４ステップＳ１０４  Ｙｅｓ）、かつその全画面表示された情報に、その情報に関係する操作ウィンドウがあるとき（図４ステップＳ１０５Ｙｅｓ）、副表示装置１１２が、上記ポインティング操作入力モードから、操作ウィンドウ機能の操作入力モードに切り替わり、主表示装置１２１に代わって副表示装置１１２に上記全画面表示された情報に関係する操作ウィンドウが表示される（図５ステップＳ１０６）。この際の副表示装置１１２に表示される操作ウィンドウの一例を図５（ｂ）に示している。
【００３０】
副表示装置１１２が図５（ｂ）に示す操作ウィンドウ５０２の表示状態にあるとき、即ち、副表示装置１１２が、主表示装置１２１に表示（全画面表示）された情報に関係する操作ウィンドウを表示して当該操作ウィンドウのタッチ操作を可能にする、操作ウィンドウ機能の操作入力モード下にあるとき、副表示装置１１２に設けられたミドルボタン１１３ｃが再び操作されると（図４ステップＳ１０７  Ｙｅｓ）、副表示装置１１２の機能（操作入力モード）が、上記操作ウィンドウ機能の操作入力モードから、通常のポインティング操作入力モードに復帰する（図４ステップＳ１０１）。
【００３１】
また、副表示装置１１２がポインティング操作入力モードとなっている（図４ステップＳ１０１）際に、ミドルボタン１１３ｃ以外のボタン（１１３ａ，１１３ｂ）が操作された際は（図４ステップＳ１０２  Ｙｅｓ，Ｓ１０３  ｎｏ）、その操作されたボタン（１１３ａ，１１３ｂ）に割り付けられた機能の処理が実行される（図４ステップＳ１１１）。
【００３２】
このようにして、副表示装置１１２に設けられたミドルボタン１１３ｃを操作することで、主表示装置１２１に表示された情報に関係する操作ウィンドウを表示して当該操作ウィンドウのタッチ操作を可能にする操作ウィンドウ機能の操作入力モードと、通常のポインティング操作入力モードとを簡単に切り替えることができ、上記操作ウィンドウ機能の操作入力モード下に於いて、主表示装置１２１に表示された情報に関係する操作ウィンドウを指タッチ操作で直接操作できる。これにより、例えば映画等の映像番組を、操作ウィンドウの煩わしい表示を排除して、最適表示環境下で視聴できるとともに、その視聴番組の各種操作並びに制御を指タッチ操作で容易かつ迅速に行うことができる。
【００３３】
上記した実施形態では、図５に示すように、主表示装置１２１に表示された情報に関係する操作ウィンドウの各操作機能について、その操作が可能な操作ウィンドウを主表示装置１２１に代わって副表示装置１１２に表示しているが、例えば、主表示装置１２１に表示された情報に関係する操作ウィンドウの各機能について、そのうちの例えば主要な操作機能のみに絞った一部の操作機能、若しくは主表示装置１２１に表示された情報に関係する操作ウィンドウのすべての操作機能について、その操作機能を階層化し、所定のボタン操作若しくは副表示装置１１２上のタッチ操作（若しくはタップ操作）で上記階層化した操作ウィンドウを切り替えることで、副表示装置１１２の限られた表示エリアの中で、より操作性のよい操作ウィンドウを提供できる。この際の上記図５に示した操作機能に対応させた操作ウィンドウの構成例を図６に示している。図６（ａ）には、図５（ａ）に示す操作ウィンドウの各操作機能のうち、その一部の主要な操作ボタンを備えた操作ウィンドウが示されている。図６（ｂ）および（ｃ）には、図５（ａ）に示す操作ウィンドウの各操作機能のうち図６（ａ）に示した以外の各機能を階層化した操作ウィンドウが示されている。これら図６（ａ）乃至（ｃ）に示す階層化された各操作ウィンドウを所定のウィンドウ切り替え手段、例えばライトボタン１１３ｂの操作、若しくは副表示装置１１２上のタッチ操作等で順次切り替えて表示する機能を持つことで、副表示装置１１２の限られた表示エリアの中で、より操作性のよい操作ウィンドウを提供できる。
【００３４】
尚、上記した実施形態では、副表示装置１１２に設けられたミドルボタン１１３ｃが操作された際、、主表示装置１２１が全画面表示で、かつその全画面表示された情報に、その情報に関係する操作ウィンドウがあるときに、副表示装置１１２が、上記ポインティング操作入力モードから、操作ウィンドウ機能の操作入力モードに切り替わる構成としているが、例えば、主表示装置１２１に表示されている操作ウィンドウのすべての操作機能若しくは一部の操作機能をもつ操作ウィンドウを副表示装置１１２に操作可能に表示することで、主表示装置１２１に表示された操作ウィンドウと、副表示装置１１２に表示された操作ウィンドウとを任意に用いた使い勝手のよい操作ウィンドウ環境を提供できるとともに、指タッチによる直接操作を可能にして、操作ボタン機能を簡易化でき、操作性をより向上できる。また、主表示装置１２１に表示された情報に関係する操作ウィンドウが複数存在するとき、その複数の操作ウィンドウのうち少なくとも一つの操作ウィンドウのすべての操作機能若しくは一部の操作機能をもつ操作ウィンドウを副表示装置１１２に操作可能に表示することで、各種の情報処理操作を効率よく迅速に行うことができる。また、主表示装置１２１に表示された操作ウィンドウと副表示装置１１２に表示された操作ウィンドウとを入れ替える機能をもつことで、各種の情報処理操作を効率よく迅速に行うことができる。また、上記した実施形態では、副表示装置１１２に設けられたミドルボタン１１３ｃの操作で、副表示装置１１２の機能（操作入力モード）を、上記操作ウィンドウ機能と、通常のポインティング機能とに切り替えたが、これに限らず、例えば主表示装置１２１に表示されたアプリケーションプログラムに従う情報に関係する操作ウィンドウが副表示装置１１２に表示されているとき、上記アプリケーションプログラムの終了に伴って、副表示装置１１２を、上記操作ウィンドウを表示する以前の状態に復帰させる機能をもたせることも可能である。
【００３５】
【発明の効果】
以上詳記したように本発明によれば、機能性並びに操作性に優れた情報処理装置が実現できる。
【図面の簡単な説明】
【図１】本発明の実施形態に於ける情報処理装置の外観構成を示す斜視図。
【図２】上記実施形態に於けるコンピュータのシステム構成を示すブロック図。
【図３】上記実施形態に於ける副表示装置の機能構成要素を示す図。
【図４】上記実施形態に於ける操作処理手順を示すフローチャート。
【図５】上記実施形態の動作説明図。
【図６】上記実施形態の動作説明図。
【符号の説明】
１…ＰＣＩバス、２…ＩＳＡバス、１１…コンピュータ本体、１２…ディスプレイユニット、６５…副表示装置に表示された主操作画面のイメージ、６６…副表示装置にひひされたマウスポインタ、１１１…キーボード（ＫＢ）、１１２…副表示装置（ｃＰａｄデバイス）、１１２ａ…タッチパッド、１１２ｂ…表示部、１１２ｃ…バックライト、１１３ａ…レフトボタン、１１３ｂ…ライトボタン、１１３ｃ…ミドルボタン、１１４…パワーボタン、１２１…主表示装置（メインディスプレイ）、２０１…ＣＰＵ、２０２…ホストブリッジ、２０３…主メモリ、２０４…グラフィクスコントローラ、２０６…ＰＣＩ−ＩＳＡブリッジ、２０７…Ｉ／Ｏコントローラ、２０８…ハードディスクドライブ（ＨＤＤ）、２０９…ＣＤ−ＲＯＭドライブ、２１０…ＵＳＢコントローラ、２１１…エンベデッドコントローラ／キーボードコントローラＩＣ（ＥＣ／ＫＢＣ）、２１３…電源コントローラ、３０１…設定テーブル、３０２…制御プログラム、３０３…インターフェース、３１１…設定プログラム、３１２…実行手段、５０１，５０２…操作ウィンドウ。
【図１】
2004234544.tif 000003
【図２】
2004234544.tif 000004
【図３】
2004234544.tif 000005
【図４】
2004234544.tif 000006
【図５】
2004234544.tif 000007
【図６】
2004234544.tif 000008